(57)【特許請求の範囲】
【請求項１】
一対の握り柄（３１、３１）の一端を回転自在に連結するとともに、その両握り柄一端からグリップ片（３３、３３）をそれぞれ延設し、その両グリップ片（３３、３３）の先端係止部を一つ割りロックリング（１０）の両端のそのロックリング（１０）側面に開口する絞り器用溝（１０ａ）にそれぞれ係止し、前記両握り柄（３１、３１）の他端を握ることにより、前記両グリップ片（３３、３３）間を狭めて、前記ロックリング（１０）を縮径した状態で管継手の受口内面に取付ける管継手用ロックリングの絞り器（Ｐ）において、
上記先端係止部は、上記絞り器用溝（１０ａ）に嵌まる部分（３５ａ）と、その部分（３５ａ）から前方に突出して前記溝（１０ａ）奥部の壁にその壁の内表面側から跨ぐように嵌まるコ字状部（３６）から成ることを特徴とする管継手用ロックリングの絞り器。
【請求項２】
一対の握り柄（３１、３１）の一端を回転自在に連結するとともに、その両握り柄一端からグリップ片（３３、３３）をそれぞれ延設し、その両グリップ片（３３、３３）の先端係止部を一つ割りロックリング（１０）の両端のそのロックリング（１０）の側面に開口する絞り器用溝（１０ａ）にそれぞれ係止し、前記両握り柄（３１、３１）の他端を握ることにより、前記両グリップ片（３３、３３）間を狭めて、前記ロックリング（１０）を縮径した状態で管継手の受口内面に取付ける管継手用ロックリングの絞り器（Ｐ）において、
上記先端係止部は、上記絞り器用溝（１０ａ）に嵌まる部分（３７ａ）と、その部分（３７ａ）から前方に突出して前記溝（１０ａ）奥部の壁内表面に当接する扁平部（３８）から成ることを特徴とする管継手用ロックリングの絞り器。
【請求項３】
上記グリップ片（３３）の先端係止部は、上記絞り器用溝（１０ａ）に上記部分（３７ａ）を嵌めて係止した際、上記ロックリング（１０）から離れる方向に傾めに立ち上がっていることを特徴とする請求項２に記載の管継手用ロックリングの絞り器。
【請求項４】
上記絞り器用溝（１０ａ）に嵌まる部分（３５ａ、３７ａ）のロックリング（１０）の縮径時に溝（１０ａ）内面に圧接する面（３５ｂ、３７ｂ）は、そのロックリング（１０）の縮径時に、その溝（１０ａ）内面に沿うテーパ面となっていることを特徴とする請求項１、２又は３に記載の管継手用ロックリングの絞り器。
【発明の詳細な説明】
【０００１】
【発明の属する技術分野】
この発明は、管継手における管受口の内面に装着されるロックリングの絞り器に関するものである。
【０００２】
【従来の技術】
管路は、一の管の受口に他の管の挿し口を挿入した管継手を管路方向に順々に構成して施設され、一般に、その管継手の伸縮と屈曲（受口に対する挿し口の抜き差しと屈曲）によってある程度の地震や地盤沈下などに順応する柔構造とされている。その柔構造管路において、さらなる柔構造をなすものとして、さらに大きな伸縮余裕代と離脱防止機能（抜け止め機能）を管継手に付与した鎖構造が採用される。この鎖構造の管路は、大きな地盤変化に対して、ちょうど地中に埋没された鎖のように継手が伸縮・屈曲しながら追従し、さらに限界まで伸び出した後は、離脱防止構造によって管路を維持する。
【０００３】
その離脱防止及び伸縮機能を有する継手として、例えば、図１２に示すＮＳ形継手、図１３に示すＳII形継手等がある。そのＮＳ形継手は、同図に示すように、一の管１の受口１ａの内面に一ツ割のロックリング１０を心出しゴム２を介して設け、他の管３の挿し口３ａの外面には突起４を設けて、挿し口３ａを、その突起４を心出しゴム２を収縮させながらロックリング１０を拡径させてロックリング１０を乗り越えさせて受口１ａに挿し込んだ構成である。この構成においては、挿し口３ａの先端が受口１ａの内面段部１ｂに当接することにより、両管１、３の所定以上の収縮が防止され、突起４がロックリング１０に係止することにより、両管１、３の伸長、すなわち抜け止めを阻止する。図中、５はシール用ゴム輪であり、一定以上の止水面圧を確保し、水圧が上昇すれば、その水圧によってより強固に受口内面及び挿し口外面に圧接して、面圧が上昇するセルフシール機能を発揮する。
【０００４】
ＳII形継手は、図１３に示すように、一の管１１の受口１１ａに他の管１３の挿し口１３ａを挿し込み、その後ロックリング１０を受口１１ａ内面の溝１２ａに嵌め、さらに、シール用ゴム輪１５を受口１１ａと挿し口１３ａの間に介在し、そのゴム輪１５を押し輪１６でもって押し込み、その押し込みは、押し輪１６と受口１１ａのフランジ間に挿通したＴ字ボルト・ナット１７の締め付けによって行う構成である。この構成においても、挿し口１３ａ先端と受口１１内面段部１１ｂとの当接により、両管１１、１３の所定以上の収縮が防止され、突起１４がロックリング１０に係止することにより、両管１１、１３の抜け止めが阻止される。図中、１８はバックアップリングである。
【０００５】
これらのＮＳ継手、ＳII継手において、そのロックリング１０は、図１４に示すように、一ツ割りのリングであって、常時は、その外径が溝２ａ、１２ａの開口径より大きく設定され、溝２ａ、１２ａに装着されると、開き勝手となって自己の弾力で固定し得る。この開き勝手であることにより、ロックリング１０の装着時には、縮径して受口１ａ、１１ａ内に挿入する必要があり、その器具として絞り器Ｐがある。
【０００６】
その絞り器Ｐは、図１５に示すように、一対の握り柄２１、２１の一端を回転自在に連結するとともに、その両握り柄２１、２１一端からグリップ片２２を延ばした、いわゆるプライヤー形式であり、同図（ａ）のごとく、グリップ片２２先端をロックリング１０の絞り器用溝１０ａに嵌め（預け入れ）、両握り柄２１、２１を握り締めて、両グリップ片２２を近づけてロックリング１０を縮径し、その状態で、受口１ａ、１１ａに挿入して溝２ａ、１２ａに装着する。
【０００７】
因みに、ＮＳ形ダクタイル管は通常、工場から出荷する際に受口１ａの溝２ａにロックリング１０、ロックリング心出し用ゴム２を装着して出荷している。しかし、何らかの原因で溝２ａに収めたロックリング１０がずれた場合、継手接合が出来ない恐れがある。そのため、接合前に目視および手で触って確認し、正しくセットされてない場合は、絞り器Ｐを利用してロックリング１０を絞り、一旦ロックリング１０とロックリング心出し用ゴム２を取り外し、正しい位置に再セットする。
【０００８】
一方、ＳII形継手は、上述のように、現地配管の際、受口１１ａに挿し口１３ａを挿入した後、ロックリング１０を装着する必要があり、絞り器Ｐを利用してロックリング１０を絞り、その状態で、受口１１ａと挿し口１３ａ間に挿入して、溝１２ａに預けられている。
【０００９】
【発明が解決しようとする課題】
従来の絞り器Ｐは、図１６に示すように、そのグリップ２２のグリップ片端が扁平であり、その対向面２２ａ、２２ａが溝１０ａの側壁面に当接するだけの係止でもって、ロックリング１０を縮径していた。このため、ロックリング１０の受口１ａ、１１ａへの挿入途中で、グリップ片２２が溝１０ａから外れ、絞り器Ｐからロックリング１０が外れ落ちる場合が多かった。
【００１０】
特に、図１２（ａ）、図１３（ａ）に示すように、ロックリング１０を受口１ａ、１１ａに挿入する際、ロックリング１０を斜めにして挿入するため、グリップ片２２と溝１０ａの当接も不安定となり、ロックリング１０がその自重でグリップ片２２から外れ易い。
【００１１】
この発明は、グリップ片からロックリングが外れにくくすることを課題とする。
【００１２】
【課題を解決するための手段】
上記課題を達成するため、この発明は、グリップ片とロックリングの当接面を広くするようにしたのである。具体的には、グリップ片のコ字状係止部にロックリングの端部を嵌めたり、それができない場合には、ロックリングの端部をその下面から支えるようにしたのである。
【００１３】
従来のように、単に、両グリップ片の対向面だけの圧接力だけの支持に比べ、その圧接力に加えて、他の面で支持するようにすれば、ロックリングの支持力も増し、外れにくくなる。
【００１４】
【発明の実施の形態】
この発明の一実施形態としては、一対の握り柄の一端を回転自在に連結するとともに、その両握り柄一端からグリップ片をそれぞれ延ばして設け、その両グリップ片の先端係止部を一つ割りロックリングの両端のそのロックリングの側面に開口する絞り器用溝にそれぞれ係止し、前記両握り柄の他端を握ることにより、前記両グリップ片間を狭めて、前記固定リングを縮径した状態で管継手の受口内面に取付ける管継手用ロックリングの絞り器において、前記先端係止部は、前記絞り器用溝に嵌まる部分と、その部分から前方に突出して前記溝奥部の壁にその壁の内表面側から跨ぐように嵌まるコ字状部から成る構成を採用し得る。
【００１５】
この構成にあっては、コ字状部を溝奥壁に嵌めた状態で、ロックリングを縮径することになるため、その嵌め込みによって、グリップ片とロックリング端とは外れにくく、スムースにロックリングを溝に嵌め得る。ロックリングの嵌着（装着）後は、コ字状部を溝奥壁から外して、絞り器をロックリングから外す。
【００１６】
このコ字状部を嵌めた際、例えば、図１３に示すＳII継手にあっては、挿し口１３ａを受口１１ａに嵌めた後、ロックリング１０を溝１２ａに嵌着するため、受口１１ａ内面と挿し口１３ａ外面との間隙が狭く、そのコ字状部を溝奥壁から外すことができない場合がある。このため、他の実施形態にあっては、上記先端係止部を、上記絞り器用溝に嵌まる部分と、その部分から前方に突出して前記溝奥部の壁内表面に当接する扁平部から成る構成とする。
【００１７】
この構成にあっては、図１３に示すように、ロックリングを吊り下げ状態で、受口１１ａ内に挿入する。このとき、扁平部でロックリングを支えることとなるため、対向面の当接のみで支えるものに比べれば、ロックリングの支持は安定する。ロックリングの装着後は、絞り器をそのまま引き出せば、ロックリングからグリップ片が外れる。すなわち、狭い間隙でも容易に外し得る。
【００１８】
このとき、グリップ片の先端係止部が、上記絞り器用溝に嵌めて係止した際、ロックリングから離れる方向に傾めに立ち上がっておれば、挿し口外面と握り柄間が大きく離れて、その先端係止部（ロックリング）の挿入及び抜き取りが容易となる（図１０参照）。
【００１９】
この各実施形態において、上記絞り器用溝に嵌まる部分のロックリングの縮径時に溝内面に圧接する面は、そのロックリングの縮径時に、その溝内面に沿うテーパ面となっているようにすれば、ロックリングとグリップ片の圧接状態が安定してグリップ片が溝から外れにくい。例えば、後記実施例では、図２（ｂ）の符号３５ｂの面及び図６（ｂ）の符号３７ｂの面をテーパ面とする。
【００２０】
【実施例】
一実施例を図１乃至図４に示し、握り柄３１、３１の一端を支軸３２を介して回転自在に連結し、その両握り柄３１の一端からグリップ片３３をクロスさせて延設している。そのグリップ片３３に２枚の係止片３４、３５がビス止めされている。両係止片３４、３５はその先端３４ａ、３５ａがＬ字状に屈曲しており、グリップ片３３にビス止めされることにより、その先端３４ａ、３５ａでコ字状係止部３６が形成される。グリップ片３３（握り柄３１）と両係止片３４、３５は鍛造などによる一体成形品とし得る。係止片３４の前方への突出量及び高さはロックリング１０の大きさ（管径）に応じて適宜に設定する。
【００２１】
この実施例は以上の構成であり、図３、図４（ａ）から（ｂ）に示すように、ロックリング１０の内側からその溝１０ａに嵌め、コ字状係止部３６でその奥壁１０ｃを支持するとともに、一方の係止片３５の先端３５ａを溝１０ａ内に嵌め、握り柄３１、３１を絞ってロックリング１０を縮径する（図４（ｃ））。この状態で、図１２（ａ）鎖線に示すようにして、溝２ａに預け入れ、その後、絞り（縮径）を解放して受口１ａに嵌める。装着後は、絞り器Ｐを上側に移動させて、係止部３６を外し、そのまま、引き出す。
【００２２】
図５乃至図９に他の実施例を示し、この実施例は、係止片を、グリップ片３３にビス止めされるく字状の係止片３７とその下面に溶接された当て片３８から構成している。係止片３７の先端突部３７ａの側面３７ｂはロックリング１０の溝１０ａ側面（図１４の符号１０ｂ）に沿うテーパ面となっている。このテーパ面３７ｂは上述の実施例の係止部３５ａでも採用し得る。係止片３７と当て片３８は一体成形品としたり、さらにそれらはグリップ片３３（握り柄３１）と鍛造などによる一体成形品とし得る。なお、突部３７ａの高さはロックリング１０からはみ出さない程度とし、当て片３８は細くして挿入・取出しをし易くする。
【００２３】
この実施例は以上の構成であり、図７、図８（ａ）から（ｂ）に示すように、ロックリング１０の内側からその溝１０ａに係止片３７の突部３７ａを嵌め、当て片３８を溝１０ａ奥壁１０ｃの内面（図７下面）に当てがう。この状態から、握り柄３１、３１を絞ってロックリング１０を縮径し（図８（ｃ））、図１２（ａ）鎖線に示すようにして、溝１２ａに預け入れ、その後、絞りを解放して受口１１ａに嵌める。
【００２４】
このとき、図９（ａ）実線から鎖線に示すように、ロックリング１０は絞られると、突部３７ａに対するロックリング１０からの反力が大きくなって、突部３７ａ側面と溝側面１０ｂの当接が線接触であると、係止片３７（突部３７ａ）が外れ易い。しかし、突部３７ａの側面がテーパ面３７ｂとなって絞りに応じて溝側面１０ｂに沿うようになっているため、同図（ｂ）に示す絞り状態では、突部テーパ面３７ｂと溝側面１０ｂが沿い、従来に比べれば外れにくい。装着後は、絞り器Ｐをそのまま水平に引き抜く。
【００２５】
また、係止片３７がく字状で、図６（ａ）に示すように、係止用突部３７ａが傾め上方に立ち上がった態様となっているので、図１０に示すように、挿し口１３ａと握り柄３１間が大きく離れて、その突部３７ａ（係止片３７）をその間隙に挿入し易い。このため、ロックリング１０の嵌め込み、及び絞り器Ｐの抜き取りをスムースに行い得る。
【００２６】
図１１には、図１の実施例において、一方の握り柄３１に爪４１を設け、他方の握り柄３１にはＬ字状ラチェット杆４２を設け、その両者４１、４２を相手方向に図示しないばねにより付勢したものである。このようにすれば、ラチェット杆４２と爪４１の適宜位置の係止により、両握り柄３１、３１の開閉度が固定されるため、ロックリング１０を縮径した際、両握り柄３１、３１を握持しつづけて、縮径する必要がない。このラチェット構造は図４の実施例でも採用し得る。
【００２７】
【発明の効果】
この発明は、以上のようにしてロックリングの支持力を高めたので、その装着作業が容易となる。
【図面の簡単な説明】
【図１】一実施例の正面図
【図２】同実施例の要部を示し、（ａ）は一部切断側面図、（ｂ）は分解斜視図
【図３】同実施例の作用説明用斜視図
【図４】同実施例の作用図
【図５】他の実施例の正面図
【図６】同実施例の要部を示し、（ａ）は一部切断側面図、（ｂ）は分解斜視図
【図７】同実施例の作用説明用斜視図
【図８】同実施例の作用図
【図９】同実施例の作用図
【図１０】同実施例の作用図
【図１１】他の実施例の正面図
【図１２】（ａ）はＮＳ形管継手の受口の断面図、（ｂ）はその管継手の要部断面図
【図１３】（ａ）はＳII形管継手の受口の断面図、（ｂ）はその管継手の要部断面図
【図１４】ロックリングの斜視図
【図１５】従来の絞り器の作用図
【図１６】同絞り器の要部斜視図
【符号の説明】
１、３、１１、１３  管
１ａ、１１ａ  受口
２ａ、１２ａ  ロックリング嵌合溝
３ａ、１３ａ  挿し口
１０  ロックリング
１０ａ  絞り器用溝
１０ｂ  絞り器用溝側面
１０ｃ  絞り器用溝奥壁
３１  握り柄
３３  グリップ片
３５ａ、３７ａ  絞り器用溝嵌合部分
３６  コ字状部
３５ｂ、３７ｂ  テーパ面
３８  扁平部（当て片）
Ｐ  絞り器
【図１】
0003751189.tif 000002
【図２】
0003751189.tif 000003
【図３】
0003751189.tif 000004
【図４】
0003751189.tif 000005
【図５】
0003751189.tif 000006
【図６】
0003751189.tif 000007
【図７】
0003751189.tif 000008
【図８】
0003751189.tif 000009
【図９】
0003751189.tif 000010
【図１０】
0003751189.tif 000011
【図１１】
0003751189.tif 000012
【図１２】
0003751189.tif 000013
【図１３】
0003751189.tif 000014
【図１４】
0003751189.tif 000015
【図１５】
0003751189.tif 000016
【図１６】
0003751189.tif 000017